(57)【要約】      （修正有）【課題】ロールスクリーンの高さを容易に調整することができるコードレスロールスクリーン構造を提供する。【解決手段】コードレスロールスクリーン構造は、上部結合部１、スクリーン面２及び下部結合部３を備える。上部結合部１は、横杆１１を有する。横杆１１の両側には、壁面上に取り付けられた側枠１２がそれぞれ設けられる。スクリーン面２は、上部結合部１の横杆１１に設けられるとともに巻付け状態を呈する上部結合端２１と、下端に設けられた下部結合端２２とを有する。下部結合部３は、スクリーン面２が下向きに拡開されたときに平坦状となるように、スクリーン面２の下部結合端２２の下端に設けられる。上部結合部１は、弾性動力装置１３を有する。弾性動力装置１３は、横杆１１の一側の側枠１２に設けられるとともに、筐体、２つの回転軸、取付端、コイルばね及び蓋体を有する。【選択図】図１
0003214375.tif 000002
【実用新案登録請求の範囲】
【請求項１】
上部結合部、スクリーン面及び下部結合部を備えたコードレスロールスクリーン構造であって、
前記上部結合部は、横杆を有し、前記横杆の両側には、壁面上に取り付けられた側枠がそれぞれ設けられ、
前記スクリーン面は、前記上部結合部の前記横杆に設けられるとともに巻付け状態を呈する上部結合端と、下端に設けられた下部結合端と、を有し、
前記下部結合部は、前記スクリーン面が下向きに拡開されたときに平坦状となるように、前記スクリーン面の下部結合端の下端に設けられ、
前記上部結合部は、弾性動力装置を有し、前記弾性動力装置は、前記横杆の一側の側枠に設けられるとともに、筐体、２つの回転軸、取付端、コイルばね及び蓋体を有し、前記筐体内には、収容空間が形成され、前記２つの回転軸は、前記収容空間に設けられるとともに平行に配列され、各前記回転軸には、旋回可能な車輪が取り付けられ、前記取付端は、前記横杆を取付けるために前記車輪に設けられ、前記コイルばねは、各前記回転軸間にＳ字状に巻付けられ、０．１〜０．２ｍｍの厚さを有し、前記スクリーン面を下向きに拡開する際、旋回により反対方向のトルクが発生し、前記蓋体は、前記筐体に蓋設されるとともに、貫通孔を有し、前記貫通孔に前記車輪の前記取付端を挿通して前記横杆を組み合わせ、
前記下部結合部は、全体的に中空管状態を呈し、両側に貫通孔が形成されるとともに、内部に設置空間が形成され、前記下部結合部の両側には接合蓋が設けられ、前記接合蓋により前記設置空間を閉鎖状にし、前記下部結合部の内側の前記設置空間には、少なくとも１つの平衡部材が設けられ、前記平衡部材は、前記弾性動力装置の前記コイルばねのトルクの重量を均一化し、その重量は０．１〜１．２ｋｇであり、その全体の重量は１〜５ｋｇであり、前記スクリーン面は、前記下部結合部を介して前記スクリーン面の巻取範囲内の任意の位置へ移動させて位置決めされることを特徴とするコードレスロールスクリーン構造。
【請求項２】
前記下部結合部は、円形杆状、楕円形杆状又は多角形杆状であることを特徴とする請求項１に記載のコードレスロールスクリーン構造。
【請求項３】
前記下部結合部は、押したり引いたりして高さを調整するために用いる引き下げ部を有することを特徴とする請求項１に記載のコードレスロールスクリーン構造。
【請求項４】
前記下部結合部の上下両端には、開口が形成され、内部に設けられた連結端により両側が接続され、内部の設置空間が２つの部分に分けられることを特徴とする請求項３に記載のコードレスロールスクリーン構造。
【請求項５】
前記スクリーン面の前記下部結合端には、縫着により固定部材が形成され、前記固定部材が前記下部結合部の両側に形成された前記貫通孔を介し、前記下部結合部の上端の前記開口内部に設けられることを特徴とする請求項４に記載のコードレスロールスクリーン構造。
【請求項６】
前記スクリーン面の前記下部結合端は、上向きに折り曲げられて縫着させて環状に成形され、
前記下部結合部は、前記スクリーン面の前記下部結合端に挿設されることを特徴とする請求項１に記載のコードレスロールスクリーン構造。
【請求項７】
前記平衡部材は、前記下部結合部の外側に挟設されることを特徴とする請求項１に記載のコードレスロールスクリーン構造。
【請求項８】
前記上部結合部の前記横杆の一側には、ばね係合部材が設けられ、前記横杆を外すときに前記ばね係合部材を押圧すると、容易に外し得ることを特徴とする請求項１に記載のコードレスロールスクリーン構造。
【請求項９】
前記ばね係合部材は、筐体、ストッパヒンジ部、弾性体及び蓋体を有し、
前記筐体は、全体的に中空状を呈して開口及び枢着口を有し、
前記ストッパヒンジ部は、前記筐体内に配設され、前記枢着口に一端が挿設され、
前記弾性体は、前記筐体内に設けられるとともに、前記ストッパヒンジ部の後端に当接され、
前記蓋体は、前記筐体の前記開口に蓋設されるとともに、前記弾性体に当接され、前記弾性体が前記ストッパヒンジ部を押動すると前記枢着口が突出されることを特徴とする請求項８に記載のコードレスロールスクリーン構造。
【考案の詳細な説明】
【技術分野】
【０００１】
本考案は、コードレスロールスクリーン構造に関するものであり、さらに詳しくは、ロールスクリーン位置決め構造が弾性動力装置を使用してトルクと下端の重量とのバランスをとり、ロールスクリーンの高さを容易に調整することができるため使用が容易なコードレスロールスクリーン構造に関するものである。
【背景技術】
【０００２】
一般に使用されるカーテンには、様々な種類があり、消費者のニーズに応じて様々な種類のカーテンが選択できる。また、カーテンは、様々な方式で展開及び収納の動作を行い、駆動方式により引き紐を循環させて手動方式で下方へ駆動させ、巻き取って使用する際、引き紐の他端を牽引して巻上げて収納し、使用者は弾力を有する旋回機構を取付け、下方へ引っ張ると、旋回機構に動力が貯えられ、固定位置まで引っ張って固定することができる。一方、巻上げるとき、旋回機構により速やかに巻上げることができ、手間がかからずにカーテンを速やかに収納することができる。
【考案の概要】
【考案が解決しようとする課題】
【０００３】
従って、前記の状況下において、本考案の主な課題は、ロールスクリーンの高さを容易に調整することができ、使用が容易なコードレスロールスクリーン構造を提供することにある。
【課題を解決するための手段】
【０００４】
そこで、本考案者は、前記の本考案の課題を解決するため検討を重ねた結果、ロールスクリーン位置決め構造が弾性動力装置を使用してトルクと下端の重量とのバランスをとることにより、前記課題を解決できることに着想し、かかる知見に基いて本考案に想到するに至った。すなわち、上記課題を解決するために、本考案の第１の形態によれば、上部結合部、スクリーン面及び下部結合部を備えたコードレスロールスクリーン構造であって、前記上部結合部は、横杆を有し、前記横杆の両側には、壁面上に取り付けられた側枠がそれぞれ設けられ、前記スクリーン面は、前記上部結合部の前記横杆に設けられるとともに巻付け状態を呈する上部結合端と、下端に設けられた下部結合端と、を有し、前記下部結合部は、前記スクリーン面が下向きに拡開されたときに平坦状となるように、前記スクリーン面の下部結合端の下端に設けられ、前記上部結合部は、弾性動力装置を有し、前記弾性動力装置は、前記横杆の一側の側枠に設けられるとともに、筐体、２つの回転軸、取付端、コイルばね及び蓋体を有し、前記筐体内には、収容空間が形成され、前記２つの回転軸は、前記収容空間に設けられるとともに平行に配列され、各前記回転軸には、旋回可能な車輪が取り付けられ、前記取付端は、前記横杆を取付けるために前記車輪に設けられ、前記コイルばねは、各前記回転軸間にＳ字状に巻付けられ、０．１〜０．２ｍｍの厚さを有し、前記スクリーン面を下向きに拡開する際、旋回により反対方向のトルクが発生し、前記蓋体は、前記筐体に蓋設されるとともに、貫通孔を有し、前記貫通孔に前記車輪の前記取付端を挿通して前記横杆を組み合わせ、前記下部結合部は、全体的に中空管状態を呈し、両側に貫通孔が形成されるとともに、内部に設置空間が形成され、前記下部結合部の両側には接合蓋が設けられ、前記接合蓋により前記設置空間を閉鎖状にし、前記下部結合部の内側の前記設置空間には、少なくとも１つの平衡部材が設けられ、前記平衡部材は、前記弾性動力装置の前記コイルばねのトルクの重量を均一化し、その重量は０．１〜１．２ｋｇであり、その全体の重量は１〜５ｋｇであり、前記スクリーン面は、前記下部結合部を介して前記スクリーン面の巻取範囲内の任意の位置へ移動させて位置決めされることからなるコードレスロールスクリーン構造が提供される。
【０００５】
かくして、本考案の要旨は、次の（１）〜（９）に記載の通りである。
（１）上部結合部、スクリーン面及び下部結合部を備えたコードレスロールスクリーン構造であって、
前記上部結合部は、横杆を有し、前記横杆の両側には、壁面上に取り付けられた側枠がそれぞれ設けられ、
前記スクリーン面は、前記上部結合部の前記横杆に設けられるとともに巻付け状態を呈する上部結合端と、下端に設けられた下部結合端と、を有し、
前記下部結合部は、前記スクリーン面が下向きに拡開されたときに平坦状となるように、前記スクリーン面の下部結合端の下端に設けられ、
前記上部結合部は、弾性動力装置を有し、前記弾性動力装置は、前記横杆の一側の側枠に設けられるとともに、筐体、２つの回転軸、取付端、コイルばね及び蓋体を有し、前記筐体内には、収容空間が形成され、前記２つの回転軸は、前記収容空間に設けられるとともに平行に配列され、各前記回転軸には、旋回可能な車輪が取り付けられ、前記取付端は、前記横杆を取付けるために前記車輪に設けられ、前記コイルばねは、各前記回転軸間にＳ字状に巻付けられ、０．１〜０．２ｍｍの厚さを有し、前記スクリーン面を下向きに拡開する際、旋回により反対方向のトルクが発生し、前記蓋体は、前記筐体に蓋設されるとともに、貫通孔を有し、前記貫通孔に前記車輪の前記取付端を挿通して前記横杆を組み合わせ、
前記下部結合部は、全体的に中空管状態を呈し、両側に貫通孔が形成されるとともに、内部に設置空間が形成され、前記下部結合部の両側には接合蓋が設けられ、前記接合蓋により前記設置空間を閉鎖状にし、前記下部結合部の内側の前記設置空間には、少なくとも１つの平衡部材が設けられ、前記平衡部材は、前記弾性動力装置の前記コイルばねのトルクの重量を均一化し、その重量は０．１〜１．２ｋｇであり、その全体の重量は１〜５ｋｇであり、前記スクリーン面は、前記下部結合部を介して前記スクリーン面の巻取範囲内の任意の位置へ移動させて位置決めされることを特徴とするコードレスロールスクリーン構造。
【０００６】
（２）前記下部結合部は、円形杆状、楕円形杆状又は多角形杆状であることを特徴とする前記（１）に記載のコードレスロールスクリーン構造。
【０００７】
（３）前記下部結合部は、押したり引いたりして高さを調整するために用いる引き下げ部を有することを特徴とする前記（１）に記載のコードレスロールスクリーン構造。
【０００８】
（４）前記下部結合部の上下両端には、開口が形成され、内部に設けられた連結端により両側が接続され、内部の設置空間が２つの部分に分けられることを特徴とする前記（３）に記載のコードレスロールスクリーン構造。
【０００９】
（５）前記スクリーン面の前記下部結合端には、縫着により固定部材が形成され、前記固定部材が前記下部結合部の両側に形成された前記貫通孔を介し、前記下部結合部の上端の前記開口内部に設けられることを特徴とする前記（４）に記載のコードレスロールスクリーン構造。
【００１０】
（６）前記スクリーン面の前記下部結合端は、上向きに折り曲げられて縫着させて環状に成形され、
前記下部結合部は、前記スクリーン面の前記下部結合端に挿設されることを特徴とする前記（１）に記載のコードレスロールスクリーン構造。
【００１１】
（７）前記平衡部材は、前記下部結合部の外側に挟設されることを特徴とする前記（１）に記載のコードレスロールスクリーン構造。
【００１２】
（８）前記上部結合部の前記横杆の一側には、ばね係合部材が設けられ、前記横杆を外すときに前記ばね係合部材を押圧すると、容易に外し得ることを特徴とする前記（１）に記載のコードレスロールスクリーン構造。
【００１３】
（９）前記ばね係合部材は、筐体、ストッパヒンジ部、弾性体及び蓋体を有し、
前記筐体は、全体的に中空状を呈して開口及び枢着口を有し、
前記ストッパヒンジ部は、前記筐体内に配設され、前記枢着口に一端が挿設され、
前記弾性体は、前記筐体内に設けられるとともに、前記ストッパヒンジ部の後端に当接され、
前記蓋体は、前記筐体の前記開口に蓋設されるとともに、前記弾性体に当接され、前記弾性体が前記ストッパヒンジ部を押動すると前記枢着口が突出されることを特徴とする前記（８）に記載のコードレスロールスクリーン構造。
【考案の効果】
【００１４】
本考案のコードレスロールスクリーン構造は、ロールスクリーン位置決め構造が弾性動力装置を使用してトルクと下端の重量とのバランスをとり、ロールスクリーンを調整して容易に高さを調整することができるため使用が容易である。
【図面の簡単な説明】
【００１５】
【図１】図１は、本考案の一実施形態に係るコードレスロールスクリーン構造を示す正面図である。
【図２】図２は、本考案の一実施形態に係るコードレスロールスクリーン構造の上部結合部を示す分解斜視図である。
【図３】図３は、本考案の一実施形態に係るコードレスロールスクリーン構造の弾性動力装置を示す分解斜視図である。
【図４】図４は、本考案の一実施形態に係るコードレスロールスクリーン構造のばね係合部材を示す分解斜視図である。
【図５】図５は、本考案の一実施形態に係るコードレスロールスクリーン構造の下部結合部を示す分解斜視図である。
【図６】図６は、本考案の第１実施形態に係るコードレスロールスクリーン構造の下部結合部を示す分解斜視図である。
【図７】図７は、本考案の第１実施形態に係るコードレスロールスクリーン構造の使用状態の説明図である。
【図８】図８は、本考案の第２実施形態に係るコードレスロールスクリーン構造の下部結合部を示す分解斜視図である。
【図９】図９は、本考案の第２実施形態に係るコードレスロールスクリーン構造の使用状態の説明図である。
【図１０】図１０は、本考案の第３実施形態に係るコードレスロールスクリーン構造の下部結合部を示す分解斜視図である。
【図１１】図１１は、本考案の第３実施形態に係るコードレスロールスクリーン構造を示す側面図である。
【図１２】図１２は、本考案の第３実施形態に係るコードレスロールスクリーン構造の使用状態の説明図である。
【考案を実施するための形態】
【００１６】
まず、図１〜図５を参照する。図１〜図５に示すように、本考案の一実施形態に係るコードレスロールスクリーン構造は、少なくとも上部結合部１、スクリーン面２及び下部結合部３から構成されてなる。
【００１７】
上部結合部１は、横杆１１を有する。横杆１１の両側には、壁面上に取り付けられた側枠１２がそれぞれ設けられる。
【００１８】
スクリーン面２は、上部結合部１の横杆１１に設けられるとともに巻付け状態を呈する上部結合端２１と、下端に設けられた下部結合端２２と、を有する。
【００１９】
下部結合部３は、スクリーン面２が下向きに拡開されたときに平坦状となるように、スクリーン面２の下部結合端２２の下端に設けられる。
【００２０】
上部結合部１は、弾性動力装置１３を有する。弾性動力装置１３は、横杆１１の一側の側枠１２に設けられる。弾性動力装置１３は、筐体１３１、２つの回転軸１３１２、取付端１３２１、コイルばね１３３及び蓋体１３４を有する。筐体１３１の内部には、収容空間１３１１が形成される。２つの回転軸１３１２は、収容空間１３１１に設けられるとともに平行に配列される。各回転軸１３１２には、旋回可能な車輪１３２が取り付けられている。取付端１３２１は、横杆１１を取付ける車輪１３２に設けられる。コイルばね１３３は、各回転軸１３１２間にＳ字状に巻付けられ、０．１〜０．２ｍｍの厚さを有するため、スクリーン面２を下向きに拡開する際、旋回により反対方向のトルクが発生する。蓋体１３４は、筐体１３１に蓋設されるとともに、貫通孔１３４１を有し、貫通孔１３４１を介して車輪１３２の取付端１３２１を挿通し、横杆１１を組み合わせる。
【００２１】
下部結合部３は、全体的に中空管状態を呈し、両側に貫通孔３１が形成されるとともに、内部に設置空間３１０が形成される。下部結合部３の両側には接合蓋３２が設けられ、接合蓋３２により設置空間３１０を閉鎖状にする。下部結合部３の内側の設置空間３１０には、少なくとも１つの平衡部材３３が設けられる。平衡部材３３は、弾性動力装置１３のコイルばね１３３のトルクの重量を均一化し、その重量は０．１〜１．２ｋｇであり、その全体の重量は１〜５ｋｇであり、スクリーン面２は、下部結合部３を介してスクリーン面２の巻取範囲内の任意の位置へ移動して位置決めされる。
【００２２】
以下、本考案のコードレスロールスクリーン構造についてより詳しく説明する。
【００２３】
前述した下部結合部３は、円形杆状、楕円形杆状又は多角形杆状である。
【００２４】
前述した平衡部材３３は、下部結合部３の外側に挟設される。
【００２５】
前述した上部結合部１の横杆１１の一側には、ばね係合部材４が設けられ、横杆１１を外すときにばね係合部材４を押圧すると、容易に外し得る。
【００２６】
前述したばね係合部材４は、筐体４１、ストッパヒンジ部４２、弾性体４３及び蓋体４４を有する。筐体４１は、全体的に中空状を呈して開口４１１及び枢着口４１２を有する。ストッパヒンジ部４２は、筐体４１内に配設され、枢着口４１２に一端が挿設される。弾性体４３は、筐体４１内部に設けられるとともに、ストッパヒンジ部４２の後端に当接される。蓋体４４は、筐体４１の開口４１１に蓋設されるとともに、弾性体４３に当接され、弾性体４３がストッパヒンジ部４２を押動すると枢着口４１２が突出される。
【００２７】
続いて図２、図３及び図４と併せて図６〜図１２を参照する。本考案の一実施形態に係るコードレスロールスクリーン構造の使用状態の説明図から分かるように、本実施形態のコードレスロールスクリーン構造は、上部結合部１、スクリーン面２及び下部結合部３を備える。本実施形態の上部結合部１、スクリーン面２及び下部結合部３の全体構造については、既に説明しているため、ここでは省略する。
【００２８】
まず、前述した下部結合部３は、押したり引いたりして高さを調整するために用いる引き下げ部３４を有する。
【００２９】
前述した下部結合部３の上下両端には、開口３５が形成され、内部に設けられた連結端３６により両側が接続され、内部の設置空間３１０が２つの部分に分けられる。
【００３０】
前述したスクリーン面２の下部結合端２２には、縫着により固定部材２２１が形成され、固定部材２２１が下部結合部３の両側に形成された貫通孔３１を介し、下部結合部３の上端の開口３５内部に設けられる。
【００３１】
前述したスクリーン面２の下部結合端２２は、上向きに折り曲げられて縫着させて環状に成形される。下部結合部３は、スクリーン面２の下部結合端２２に挿設される。
【００３２】
上部結合部１は、弾性動力装置１３を有する。弾性動力装置１３は、横杆１１の一側の側枠１２に設けられる。弾性動力装置１３は、筐体１３１、２つの回転軸１３１２、取付端１３２１、コイルばね１３３及び蓋体１３４を有する。筐体１３１の内部には、収容空間１３１１が形成される。２つの回転軸１３１２は、収容空間１３１１に設けられるとともに平行に配列される。各回転軸１３１２には、車輪１３２がそれぞれ取り付けられている。車輪１３２は、横杆１１を取付ける取付端１３２１を有する。コイルばね１３３は、各車輪１３２間にＳ字状に巻付けられ、０．１〜０．２ｍｍの厚さを有するため、スクリーン面２を下向きに拡開すると、旋回により反対方向のトルクが生じる。蓋体１３４は、筐体１３１に蓋設されるとともに、貫通孔１３４１を有し、貫通孔１３４１に車輪１３２の取付端１３２１が挿通され、横杆１１と組み合わされる。
【００３３】
下部結合部３は、全体的に中空管状態を呈し、両側に貫通孔３１が設けられるとともに、内部に設置空間３１０が形成される。下部結合部３の両側には接合蓋３２が設けられ、接合蓋３２により設置空間３１０を閉鎖する。下部結合部３の内側の設置空間３１０には、少なくとも１つの平衡部材３３が設けられる。平衡部材３３は、弾性動力装置１３のコイルばね１３３のトルクを均一化し、その重量は０．１〜１．２ｋｇであり、その全体の重量は１〜５ｋｇであり、スクリーン面２は、下部結合部３を介してスクリーン面２の巻取範囲内の任意の位置へ移動して位置決めされる。
【００３４】
ここで、本考案のコードレスロールスクリーン構造は、窓に用いるロールスクリーンのスクリーン面２が下向きに拡開されるときに、弾性動力装置１３のコイルばね１３３を巻取り、弾性動力装置１３のコイルばね１３３に上向きのトルクが発生し、下部結合部３に平衡部材３３が設けられるため、その重量はコイルばね１３３に対する平衡効果を発生させ、使用する際、スクリーン面２を下部結合部３から必要な位置へ引っ張り、スクリーン面２下方へ駆動され、コイルばね１３３をねじり、ねじりの巻数が多いほどそのトルクも高くなり、スクリーン面２及び下部結合部３の平衡部材３３の全体重量を引っ張り出すことにより、コイルばね１３３が上向きに巻取るトルクが制限されるため、下部結合部３が任意の位置で停止し、コイルばね１３３の使用により、下向きに引っ張るときに上向き回転のトルクが発生する。
【００３５】
ここで、本実施形態の弾性動力装置１３のコイルばね１３３は、０．１〜０．２ｍｍの厚さを有するため、旋回するときに増加して累積するトルクにより、スクリーン面２が下方へ引っ張られるときに発生する力を均等にし、上方へスクリーン面２を駆動するトルクが制限されるため、その下端に設けられた下部結合部３の平衡部材３３の重量が０．１〜１．２ｋｇであり、全体の重量が１〜５ｋｇであり、使用するロールスクリーンの面積が大きくなるに従い、下方へ引っ張られるスクリーン面２の重量も重くなり、設置する下部結合部３の平衡部材３３の重量が相対的に減り、バランスをとることができる。
【００３６】
また、本実施形態の下部結合部３は、スクリーン面２の下部結合端２２が上向きに折り曲げられて縫着させて環状に成形される。下部結合部３は、スクリーン面２の内側へ挿設され、下部結合部３によりスクリーン面２を覆うため、スクリーン面２の全体の外観に悪影響を与えない。下部結合部３は引き下げ部３４を有する。引き下げ部３４は、杆状を呈して下部結合部３の長さに等しく（図８及び図９を参照する）、下部結合部３の各接合蓋３２が下方へ延び、引き下げ部３４が各接合蓋３２間に取り付けられる。
【００３７】
また、下部結合部３は、上下開口を有する状態を呈するとともに（図１０、図１１及び図１２を参照する）、内部の設置空間３１０が２つの部分に分けられる。そのため、スクリーン面２は、開口３５を介して下部結合部３上端の設置空間３１０に嵌設される。引き下げ部３４は、タブ形状である上、下部結合部３下端の設置空間３１０に設けられる。
【００３８】
上述したことから分かるように、本考案の下部結合部３を実際に使用する場合、使用者は手部で下部結合部３を下方へ駆動し、上部結合部１の横杆１１を旋回させると、弾性動力装置１３の車輪１３２の取付端１３２１を旋回させると、車輪１３２も旋回し、車輪１３２に設けたコイルばね１３３が巻かれてトルクが累積するとともに、下部結合部３の平衡部材３３の重さとともに引っ張られると、スクリーン面２が開いた状態となり、巻取る場合、使用者は下部結合部３を上方へ押動すると、下部結合部３の平衡部材３３が軽くなり、コイルばね１３３に累積したトルクがリリースされてスクリーン面２が上方へ巻き取られる。そのため、重力をバランスがとれた状態に保持し、使用者はスクリーン面２を任意に開いた状態で任意な箇所で高さを保持する。
【００３９】
また、下部結合部３には、引き下げ部３４が増設されてもよい。そのため、スクリーン面２の位置が高めであり、使用者は触れることができず、下部結合部３を引っ張るとき、工具を引き下げ部３４に掛合して下向きに駆動させ、引き下げ部３４は、使用者が手部で下向きに引っ張るか上向きに押動すると、使用する高さを調整することができる。長杆状の引き下げ部３４を呈し、引き下げ部３４に他のスクリーン面２を挿設する。
【００４０】
上述したことから分かるように、コードレスロールスクリーン構造は、ロールスクリーンに用いる制御装置は、上部結合部１により横杆１１を有する。横杆１１の両側には、壁面に取り付ける側枠１２がそれぞれ設けられる。上部結合部１には、弾性動力装置１３が設けられる。弾性動力装置１３は、横杆１１の一側の側枠１２に設けられる。弾性動力装置１３には、筐体１３１が設けられる。筐体１３１内には、収容空間１３１１が形成される。２つの回転軸１３１２は、収容空間１３１１に設けられるとともに、平行に配列される。車輪１３２は、横杆１１を取付ける取付端１３２１を有する。コイルばね１３３は、各車輪１３２間にＳ字状に巻付けられ、０．１ｍｍ〜０．２ｍｍの厚さを有するため、スクリーン面２を下向きに拡開する際、旋回により反対方向のトルクが発生する。蓋体１３４は、筐体１３１に蓋設されるとともに、貫通孔１３４１を有し、貫通孔１３４１に車輪１３２の取付端１３２１が挿設されて横杆１１と組み合わされる。下部結合部３は、全体的に中空管状態を呈し、両側に貫通孔３１が形成されるとともに、内部に設置空間３１０が形成される。下部結合部３の両側には接合蓋３２が設けられ、接合蓋３２により設置空間３１０が閉鎖される。下部結合部３の内側の設置空間３１０には、少なくとも１つの平衡部材３３が設けられる。平衡部材３３は、弾性動力装置１３のコイルばね１３３のトルクの重量を均一化し、その重量は０．１〜１．２ｋｇであり、その全体の重量は１〜５ｋｇであり、スクリーン面２は、下部結合部３を介してスクリーン面２の巻取範囲内の任意の位置へ移動して位置決めされる。このように、本考案のコードレスロールスクリーン構造は、弾性動力装置１３を使用し、トルクと、その下端部の重量とのバランスがとれた状態となり、ロールスクリーンを調整し、高さを随意調整することができるため使用し易い。
【符号の説明】
【００４１】
１  上部結合部
２  スクリーン面
３  下部結合部
４  ばね係合部材
１１  横杆
１２  側枠
１３  弾性動力装置
２１  上部結合端
２２  下部結合端
３１  貫通孔
３２  接合蓋
３３  平衡部材
３４  引き下げ部
３５  開口
３６  連結端
４１  筐体
４２  ストッパヒンジ部
４３  弾性体
４４  蓋体
１３１  筐体
１３２  車輪
１３３  コイルばね
１３４  蓋体
２２１  固定部材
３１０  設置空間
４１１  開口
４１２  枢着口
１３１１  収容空間
１３１２  回転軸
１３２１  取付端
１３４１  貫通孔
【図１】
0003214375.tif 000003
【図２】
0003214375.tif 000004
【図３】
0003214375.tif 000005
【図４】
0003214375.tif 000006
【図５】
0003214375.tif 000007
【図６】
0003214375.tif 000008
【図７】
0003214375.tif 000009
【図８】
0003214375.tif 000010
【図９】
0003214375.tif 000011
【図１０】
0003214375.tif 000012
【図１１】
0003214375.tif 000013
【図１２】
0003214375.tif 000014